(57)【要約】  課題磁気読取装置本体における磁気読取を阻害せずに、不正磁気読取装置による磁気読取を妨害する。【解決手段】磁気読取装置は、カードが挿入されるカード挿入口を囲むように取り付けられ、前記カードの外部からの磁気情報の読取を妨げるために妨害磁界を発生させる磁界発生用コイルを備え、前記磁界発生用コイルの開口面の法線方向が前記カードの搬送面に対して斜め方向であることを特徴とする。
2015097913.tif 000002
【特許請求の範囲】
【請求項１】
カードが挿入されるカード挿入口を囲むように取り付けられ、前記カードの外部からの磁気情報の読取を妨げるために妨害磁界を発生させる磁界発生用コイルを備え、
前記磁界発生用コイルの開口面の法線方向が前記カードの搬送面に対して斜め方向であることを特徴とする磁気読取装置。
【請求項２】
前記磁界発生用コイルの開口面の法線方向がカード搬送面に対して斜め方向に配置される
ことを特徴とする請求項１に記載の磁気読取装置。
【請求項３】
前記磁界発生用コイルの開口面の法線方向がカード搬送面に対して斜め方向に形成されている
ことを特徴とする請求項１または２のいずれかに記載の磁気読取装置。
【請求項４】
前記斜め方向とは、カード搬送面に対して上下方向に斜めの方向である
ことを特徴とする請求項１〜３のいずれかに記載の磁気読取装置。
【請求項５】
前記斜め方向とは、カード搬送面に対して左右方向に斜めの方向である
ことを特徴とする請求項１〜３のいずれかに記載の磁気読取装置。
【請求項６】
前記斜め方向とは、カード搬送面に対して上下左右方向に斜めの方向である
ことを特徴とする請求項１〜３のいずれかに記載の磁気読取装置。
【請求項７】
前記磁界発生用コイルを複数備え、それぞれのコイルが別方向に前記妨害磁界を発生させる
ことを特徴とする請求項１〜６のいずれかに記載の磁気読取装置。
【請求項８】
前記磁界発生コイルが発生する前記妨害磁界のうち、前記カード挿入口から前記磁気読取装置の外部方向に放射される磁界を強め、前記カード挿入口から前記磁気読取装置の内部方向に放射される磁界を弱めるように、前記妨害磁界の磁界発生方向に指向性を生じさせるコア部材を備える
ことを特徴とする請求項１〜７のいずれかに記載の磁気読取装置。
【請求項９】
前記妨害磁界の磁界発生方向に指向性を生じさせる前記コア部材を、
前記カード搬送面に対して斜めに配置する
ことを特徴とする請求項８に記載の磁気読取装置。
【発明の詳細な説明】
【技術分野】
【０００１】
本発明は、磁気情報記録媒体の磁気データ不正読み取り防止機能を備え、磁気情報記録媒体の磁気データを読み取る磁気読取装置に関する。
【背景技術】
【０００２】
現金自動支払機（以下、ＣＤ（Cash  Dispenser）と称す）や現金自動預け払機（以下、ＡＴＭ（Automated  Teller  Machine）と称す）などの現金取引処理装置や、さらにはカードや通帳など磁気情報が記録された媒体を利用して取引処理を行う取引処理端末において、スキミングと呼ばれる犯罪が発生している。代表的なスキミングの方法は、磁気ヘッドを備えた不正磁気読取装置を、元の磁気読取装置の磁気情報記録媒体の挿入口に被せるように設置して、磁気ストライプの磁気情報を不正に取得するものである。この対策として、磁界を用いて不正磁気読取装置を機能しないようにする技術が公開されている。【０００３】
例えば、特許文献１には、磁気カード挿入・排出用のカードスロットの外側部分の領域に磁界を発生させ、不正磁気読取装置を妨害する磁気カード取引装置が開示されている。当該磁気カード取引装置では、カードスロット外側に不正に磁気ヘッドが取り付けられたとしても、磁界発生手段による妨害磁界によって、不正な磁気ヘッドを用いて挿入あるいは排出される磁気カードが読取られてしまうことを阻止することができる。【０００４】
また、特許文献２には、磁気情報記録媒体の挿入口周囲にループアンテナを設置し、挿入口前方の磁気情報読み取りを妨害する磁気読取装置が開示されている。当該磁気読取装置では、磁気情報記録媒体の周囲を取り囲むように取り付けられたループアンテナと、ループアンテナから磁界を発生させるための発振器と、挿入口に挿入された磁気情報記録媒体を検出する媒体検出センサとが備えられている。媒体検出センサが磁気情報記録媒体を検出した場合に、発振器がループアンテナから磁界を発生させることにより、挿入口の前方における磁気情報記録媒体の磁気データ読み取りを妨害することができる。
【先行技術文献】
【特許文献】
【０００５】
【特許文献１】特開２００１−６７５２４号公報
【特許文献２】特開２００５−２６６９９９号公報
【特許文献３】特願２０１１−５５１８７９号公報
【発明の概要】
【発明が解決しようとする課題】
【０００６】
上記特許文献１では、磁界発生部がカードスロットの外側部分における磁気カードの磁気ストライプが通過する通過経路を含む領域に磁界を発生させているため、スキミングを阻止することができるが、この方法では磁気読取装置本体が持つ磁気読取部に対しても妨害磁界を照射してしまう。これを防ぐため、磁界の発生時期をカードの挿入時及び排出時とする方法も記載されているが、この方法では磁気読取装置が磁気リードを行っている間は読み取り妨害を行うことができない。【０００７】
また、上記特許文献２では、磁界発生部としてカード挿入口の周囲を囲むように取り付けられたループアンテナを使用しているが、この場合でも磁気読取装置本体が持つ磁気読取部に対して妨害磁界を照射し、自身の磁気読取を阻害してしまう。【０００８】
また、特許文献３では、磁界発生部を磁気読取装置本体が持つ磁気読取部と別方向を向けて設置しているため、自身の磁気読み取りを妨害することは無いと考えられる。しかし、磁界発生部の設置方向を変える為に余分なスペースが必要となる。【０００９】
本発明は以上の点を考慮してなされたもので、磁気読取装置本体における磁気読取を阻害せずに、不正磁気読取装置による磁気読取を妨害する磁気読取装置を提案しようとするものである。
【課題を解決するための手段】
【００１０】
かかる課題を解決するために本発明においては、カードが挿入されるカード挿入口を囲むように取り付けられ、前記カードの外部からの磁気情報の読取を妨げるために妨害磁界を発生させる磁界発生用コイルを備え、前記磁界発生用コイルの開口面の法線方向が前記カードの搬送面に対して斜め方向であることを特徴とする磁気読取装置が提供される。かかる構成によれば、磁気読取装置自身の磁気読取部方向へ発生する妨害磁界を弱め、不正磁気読取装置の設置される方向へ効率的に磁界を発生させることができる。
【発明の効果】
【００１１】
本発明によれば、磁気読取装置に不正磁気読取装置が設置された場合に、磁気読取装置自身の磁気読取機能を阻害せずに、不正磁気読取装置による磁気読取を効果的に妨害することができる。
【図面の簡単な説明】
【００１２】
【図１】本発明の本実施形態に係る磁気読取装置の主要部の構成を示すブロック図である。
【図２】同実施形態にかかる磁気読取装置の内部構造を示す概略図である。
【図３】同実施形態にかかるループアンテナと磁気ヘッドの位置関係の一例を示す図である。
【図４】従来技術及び本実施形態のループアンテナの設置について説明する概念図である。
【図５】本実施形態にかかるループアンテナの設置スペースについて説明する概念図である。
【図６】同実施形態にかかる磁気読取装置上面から見た図である。
【図７】同実施形態にかかる２つのループアンテナを配置した場合の例を示す図である。
【図８】同実施形態にかかる２つのループアンテナの妨害磁界を説明する概念図である。
【図９】同実施形態にかかる２つのループアンテナを左右方向に斜めに配置した場合を示す図である。
【図１０】同実施形態にかかる２つのループアンテナにＬ字型コアを追加した場合の例を示す図である。
【図１１】同実施形態にかかる２つのループアンテナにＬ字型コアをカード搬送面に対して斜め方向に追加した場合の例を示す図である。
【図１２】同実施形態にかかる斜めに形成したループアンテナを配置した磁気読取装置の内部構造を示す概略図である。
【図１３】同実施形態にかかる斜めに形成したループアンテナを左右方向に斜めに配置した場合を示す図である。
【図１４】同実施形態にかかる斜めに形成したループアンテナを２つ配置した場合の例を示す図である。
【図１５】同実施形態にかかる斜めに形成したループアンテナを２つ左右方向に斜めに配置した場合の例を示す図である。
【図１６】同実施形態にかかる斜めに形成した２つのループアンテナにＬ字型コアを追加した場合の例を示す図である。
【図１７】同実施形態にかかる斜めに形成した２つのループアンテナにＬ字型コアをカード搬送面に対して斜め方向に追加した場合の例を示す図である。
【図１８】同実施形態にかかる斜めに形成したループアンテナを上下左右方向に斜めに配置した場合を示す図である。
【発明を実施するための形態】
【００１３】
以下図面について、本発明の一実施の形態を詳述する。
【００１４】
（１）第１の実施形態
（１−１）磁気読取装置の構成
まず、本実施形態にかかる磁気読取装置１の構成について説明する。磁気読取装置１は、現金自動支払機（ＣＤ）や現金自動預け払機（ＡＴＭ）などの現金取引処理装置や、カードや通帳など磁気情報が記録された媒体を利用して取引処理を行う取引処理端末などに備えられ、磁気カード上の磁気データを読み取る装置である。
【００１５】
図１は、磁気読取装置１の主要部の構成を示すブロック図である。図１に示すように、磁気読取装置１は、本体の動作を制御する制御部（ＣＰＵ）３２と、本体に挿入された磁気カードに記録されている磁気データを読み取る磁気情報読取部３３と、本体に挿入されたカードを搬送するカード搬送路１０と、カード搬送路１０におけるカードの位置を検出するカード位置センサ３４と、磁気情報読取部３３で読み取った磁気情報を記憶するメモリ３５と、上位装置との接続部であるホストインターフェイス３６と、本体前面部に設置されたカード挿入口ユニット３７と、カード挿入口ユニット３７内に設置され、磁界を発生させるループアンテナ２（導体を１回または複数回ループ状に巻いたアンテナ）と、ループアンテナ２の動作を制御する磁界制御部３８と、カードの搬送を制御するカード搬送制御部３９と、を含んで構成されている。
【００１６】
図２は、磁気読取装置１の内部構造を示す概略図である。図２において、符号３は磁気カード（以下、カード３と称する。）である。カード３の片面もしくは両面には磁気ストライプ１３が形成されており、この磁気ストライプ上に磁気データが記録されている。磁気読取装置１本体の前面には、カード３を挿入する挿入口４が形成されている。挿入口４の近くには、挿入口４に挿入されたカード３を検出する挿入検知センサ４１が設けられている。この挿入検知センサ４１は、押圧センサであり、挿入口４から挿入されたカード３によって押圧される位置に配置されている。
【００１７】
また、カード３を挟持して搬送する一対の搬送ローラ５〜８がカード３の搬送方向に並べられている。磁気読取装置１は、カード搬送路１０として、これらの搬送ローラ５〜８により、カード３の搬送路を形成している。一対の搬送ローラ５〜８は、それぞれ一方がモータの回転力が伝達される駆動ローラであり、他方がこの駆動ローラに従動して回転する従動ローラである。搬送ローラ５〜８を駆動するモータ（図示せず）は、１つである。
【００１８】
カード搬送制御部３９は、このモータの回転（回転方向、回転速度を含む）及び停止を制御することにより、カード３の取り込み、およびカードの排出（返却）を行う。磁気情報読取部３３は、搬送ローラ５〜８により形成されたカード搬送路１０を搬送されているカード３の磁気ストライプ１３に記録されている磁気情報を読み取る磁気ヘッド９を有している。磁気ヘッド９はカード搬送路１０に接するように設置されており、カード３がカード搬送路１０を通過する際にカード３に記録されている磁気データの読取を行う。
【００１９】
また、カード３の有無を検出するセンサ５１〜５４がカード３の搬送路に沿って並べられている。センサ５１〜５４の配置間隔は、カード３の搬送方向の長さよりも短い。センサ５１〜５４は、発光部と受光部（いずれも図示せず）とからなる光センサであり、搬送路を挟んで発光部と受光部とを対向させて配置している。
【００２０】
センサ５１は、挿入口４に最も近い搬送ローラ５にカード３が挟持されたことを検出する。センサ５２、５３、５４は、カード搬送路１０を搬送されているカード３の位置を検出する。挿入検知センサ４１、およびセンサ５１〜５４の検出結果により、本体にカード３が挿入されているかが検出され、搬送路におけるカード３の位置が検出される。
【００２１】
不正磁気読取装置(図示せず)は、カード３の磁気情報を読み取るための磁気ヘッド１２を備えている。犯罪者が不正磁気読取装置を設置する場所は不定であるが、磁気読取装置１に挿入または排出されるカード３の磁気情報を読み取ることが目的であるため、磁気ヘッド１２が挿入口４の前面、かつ、カード搬送路１０の延長線に接する位置のうち、カード３の磁気ストライプ１３が存在する側(磁気ヘッド９と同じ側)に設置される。
【００２２】
磁気読取装置１の挿入口４には、その周囲を囲むように、ループアンテナ２が設けられている。このループアンテナ２は、カード搬送路１０に対して上下方向に斜めに傾けて配置される。例えば図３に示すように、ループアンテナ２の開口面から法線方向の範囲内に磁気ヘッド９が入らないように配置する。ループアンテナ２の両端に駆動信号が印加されると、ループアンテナ２は、挿入口４付近に妨害磁界１１を発生させる。
【００２３】
妨害磁界１１は、挿入口４の前面に取り付けられた不正磁気情報読取装置の磁気ヘッド１２による磁気カード３の磁気情報の窃取を妨害する。不正磁気情報読取装置の磁気ヘッド１２は、上記の通り必ず挿入口４の前面部、かつ、カード３の磁気ストライプ１３が存在する側に設置される。妨害磁界１１は、ループアンテナ２の開口面から法線方向に向けて発生する。このため、ループアンテナ２を図３に示すような配置とし、妨害磁界１１の発生方向を変化させることで、より効率よく磁気情報の窃取を妨害することができる。
【００２４】
また、ループアンテナ２の開口面の法線方向をカード搬送路１０からそらすように上下方向に斜めに配置している。このため、磁気読取装置１内でカード搬送路１０に接するように配置される磁気ヘッド９は、妨害磁界１１の影響を受けず、通常通り磁気情報を読み取ることが可能である。
【００２５】
図３では、ループアンテナ２の開口面の法線方向から磁気ヘッド９を完全に外したが、この妨害磁界１１は、ループアンテナ２の開口面の法線方向中心部に近づくにつれて大きくなる。そのため、ループアンテナ２の角度は多少傾けるだけでも妨害磁界１１の影響を少なくする効果がある。
【００２６】
図３（ｂ）に示すように、磁気読取装置１内部への妨害磁界１１の影響を抑えるコア部材６１を配置するか、ループアンテナ２と磁気ヘッド９の距離を充分にとることで、ループアンテナ２を傾ける角度を小さくすることも可能である。コア部材６１の素材としては、フェライト等の透磁率が大きい素材を用いるとよい。
【００２７】
（１−２）ループアンテナ及び妨害磁界
次に、図４を参照して、従来技術及び本実施形態のループアンテナの設置について説明する。
【００２８】
図４（ａ）〜図４（ｃ）は、従来技術におけるループアンテナの設置を説明する図である。図４（ａ）は、ループアンテナ２を、カード挿入口４を取り囲まずに設置した場合を示す。また、図４（ｂ）は、図４（a）のループアンテナ２をカード搬送路１０からそらし、磁気ヘッド１２の予想設置場所に向けて上下方向に斜めに配置した場合を示す。図４（ｂ）ではループアンテナ２の設置スペースが大きくなるため、カード挿入口ユニット３７の形状を大きく変える必要がある。図４（ｃ）はループアンテナ２を、カード挿入口４を取り囲むように設置した場合を示す。
【００２９】
図４（ｄ）は、本実施形態にかかるループアンテナの設置を説明する図である。図４（ｃ）に示すループアンテナ２をカード搬送路１０からそらし、磁気ヘッド１２の予想設置場所に向けて上下方向に斜めに配置した場合を示す。図４（ｄ）では、ループアンテナ２はカード挿入口４の周囲を囲むように設置されている。このため、ループアンテナを上下方向に斜め方向に配置した場合であっても、図４（ｃ）のように配置した場合と比べて、ループアンテナ２自体のサイズ及び必要な設置スペースをほとんど変える必要がないことがわかる。
【００３０】
次に、図５（ａ）を参照して、ループアンテナ２の設置スペースについて説明する。図５（ａ）は、従来技術であり、ループアンテナ２をカード搬送路１０と同じ方向に設置した場合を示す図である。また、図５（ｂ）は、本実施形態のループアンテナ２をカード搬送路１０の方向からそらすように配置した場合を示す図である。また、図５（c）は、ループアンテナ２の導線をずらして巻いた場合を示す図であり、後述する第２の実施形態を示す図である。図５（ｃ）では、ループアンテナ２の形状自体をカード搬送路１０の方向に対して斜めに形成している。
【００３１】
上記したように、図５（ａ）と図５（ｂ）とでは、必要となる設置スペースはほとんど変わらないが、図５（ｂ）はわずかにスペースを多く必要とする。設置スペースを多く必要とすることについては、ループアンテナ２のサイズを少し小さくすれば解消できる。しかし、小さいループアンテナでは遠方へ妨害磁界１１を発生させることが困難となってしまう。そこで、図５（ｃ）に示すように、ループアンテナ２自体の形を斜めに形成することで、ループアンテナ２のサイズを変更することなく、図５（ｂ）よりもさらに省スペースで妨害磁界１１の発生方向を変更することが可能となる。
【００３２】
また、ループアンテナ２をカード３の挿入方向に対して、左右方向に斜めに配置してもよい。図６は、磁気読取装置１を上部から見た図である。図６に示すように、磁気読取装置１の挿入口へのカード３の挿入方向に対して、ループアンテナ２が、左右方向に斜めに配置されていることがわかる。
【００３３】
なお、カード３に磁気ストライプ１３を形成する位置は、規格により定められている。したがって、不正磁気情報読取装置によりカード３の磁気情報を不正に読み取る際には、不正磁気情報読取装置の磁気ヘッド１２は、カード３の磁気ストライプ１３の通過面上に設置する必要がある。このため、不正磁気情報読取装置は挿入口４の中央より左右方向で片側に寄せて設置される。したがって、磁気ヘッド１２の方向へループアンテナ２を傾けて設置した場合には、磁気ヘッド１２が妨害磁界１１の影響を大きく受け、カード３の磁気情報の読み取りが困難となる。一方、磁気読取装置１自身が持つ磁気ヘッド９は、妨害磁界１１の発生方向から外れるため、妨害磁界１１の影響を受けずに磁気情報を読み取ることが可能となる。
【００３４】
さらに、図７に示すように、磁気読取装置１に、２つのループアンテナ２ａ及び２ｂを設置する構成としてもよい。図７では、ループアンテナ２ｂは、ループアンテナ２ａの内側に配置されており、それぞれ異なる方向へ妨害磁界１１ａ及び１１ｂを発生させている。
【００３５】
なお、カード３には両面に磁気ストライプ１３を持つものがある。この場合、磁気読取装置１に２つの磁気ヘッド９ａ及び９ｂを設置して磁気データの読取を行うが、不正磁気読取装置も２つの磁気ヘッド１２ａ及び１２ｂを設置して磁気データを詐取する可能性がある。この場合でも、２つのループアンテナ２ａ及び２ｂをそれぞれカード搬送路１０に対して斜めに配置することにより、それぞれ磁気ヘッド１２ａ及び１２ｂによる不正な磁気情報の読み取りを効率よく妨害することが可能となる。
【００３６】
また、図７に示すように、磁気読取装置１に２つの磁気ヘッド９ａ及び９ｂを設置した場合、２つのループアンテナ２ａ及び２ｂそれぞれから発生させる妨害磁界１１ａ、１１ｂの強度、周波数または発生タイミングを異なるものとしてもよい。図８に、ループアンテナ２ａ及び２ｂそれぞれから発生させる妨害磁界１１ａ、１１ｂの強度、周波数または発生タイミングが異なる場合を示す。
【００３７】
例えば、図８（ａ）は、ループアンテナ２ａ及び２ｂそれぞれから発生させる妨害磁界１１ａ、１１ｂの強度が異なる場合を示す。図８（ｂ）は、ループアンテナ２ａ及び２ｂそれぞれから発生させる妨害磁界１１ａ、１１ｂの周波数が異なる場合を示す。また、図８（ｃ）は、ループアンテナ２ａ及び２ｂそれぞれから発生させる妨害磁界１１ａ、１１ｂの発生タイミングが異なる場合を示す。
【００３８】
ループアンテナ２ａ及び２ｂそれぞれから発生させる妨害磁界１１ａ、１１ｂの強度や周波数、発生タイミングを異なるものとすることにより、不正磁気読取装置が持つ磁気ヘッド１２ａ及び１２ｂに対して複数方向からの妨害磁界が重畳する。このため、不正磁気読取装置はフィルタリング等の妨害磁界１１を除去する手段をとることができず、不正磁気読取装置の磁気ヘッド１２ａ、１２ｂが単一の磁界中にあるときよりも、より磁気情報の窃取が困難となる。また、磁気読取装置１自身が持つ磁気ヘッド９ａ及び９ｂは、妨害磁界１１ａ及び１１ｂの発生方向から外れるため、妨害磁界の影響を受けずに磁気情報を読み取ることが可能となる。
【００３９】
さらに、図９に示すように、磁気読取装置１に２つのループアンテナ２ａ、２ｂを左右方向に斜めに配置してもよい。図７と同様にループアンテナ２ｂは、ループアンテナ２aの内側に配置されており、それぞれ異なる方向へ妨害磁界１１ａ及び１１ｂを発生させている。上記の通り、２つのループアンテナ２ａ、２ｂそれぞれから発生させる妨害磁界１１ａ、１１ｂの強度、周波数または発生タイミングを異なるものとしてもよい。
【００４０】
この場合も、不正磁気読取装置が持つ磁気ヘッド１２に対して複数方向からの磁界が重畳するため、単一の磁界中にあるときよりもより磁気情報の窃取が困難となる。また、この場合も磁気読取装置１自身が持つ磁気ヘッド９ａ及び９ｂは、妨害磁界１１ａ、１１ｂの発生方向から外れるため、妨害磁界の影響を受けずに磁気情報を読み取ることが可能となる。
【００４１】
さらに、図１０に示すように、ループアンテナ２にＬ字型のコア１４を設置してもよい。コア１４の素材はフェライト等の透磁率の大きい素材である。コア１４を設置すると、ループアンテナ２から磁気読取装置１の内部方向に放射される妨害磁界１１が吸収され、妨害磁界１１が挿入口４前面側へ放射される。したがって、コア１４を設けることにより、ループアンテナ２から挿入口４の前面へ放射されている妨害磁界１１をより大きくし、磁気読取装置１の内部に及ぼす影響を抑えることができる。
【００４２】
なお、図１０では、コア１４を２つ設置しているが、どちらか片側のみ設置してもよい。コア１４を１つ設置した場合には、２つ設置した場合と比較して効果は低減するが、２つ設置した場合と同様の効果を得ることができる。
【００４３】
また、図１１に示すように、Ｌ字型のコア１４をカード搬送面に対して斜めに設置してもよい。このような配置にすることで、不正磁気読取装置が持つ磁気ヘッド１２へより効率よく妨害磁界１１を放射することが可能となる。特に、コア１４をループアンテナ２の発生させる妨害磁界１１の方向に沿うように配置することにより、不正磁気読取装置の磁気ヘッド１２側への磁界を強め、磁気読取装置１の内部に及ぼす影響を抑えることができる。
【００４４】
（２）第２の実施形態
（２−１）磁気読取装置の構成
次に、上記図５（ｃ）に示したように、ループアンテナ２の導線をずらして巻いた場合のループアンテナ２から発生する磁界について説明する。本実施の形態にかかる磁気読取装置１の構成は、第１の実施形態とほぼ同様のため、第１の実施形態と異なる構成について詳細に説明する。
【００４５】
（２−２）ループアンテナ及び妨害磁界
図１２は、ループアンテナ２の導線をずらして巻くことで、ループアンテナ２の形状自体をカード搬送路１０の方向に対して上下方向に斜めに形成した場合を示す図である。図１２に示すように、ループアンテナ２の形状は図５（ｃ）と同様に、導線がずらして巻かれている。
【００４６】
このようにループアンテナ２自体を斜めに形成することで、図５（ａ）と比較して設置スペースを全く変えることが無い。このため、カード挿入口ユニット３７のサイズを変更することなく、ループアンテナ２の開口面の法線方向をカード搬送路１０の方向に対して斜め方向に向けることができる。
【００４７】
さらに、図１３に示すように、図５（ｃ）のループアンテナ２を左右方向で斜めに配置しても良い。上記したように、カード３に磁気ストライプ１３を形成する位置は、規格により定められている。したがって、不正磁気情報読取装置の磁気ヘッド１２は、カード３の磁気ストライプ１３の通過面上に設置する必要がある。
【００４８】
このため、挿入口４の中央より左右方向で片側に寄せて設置される。したがって、磁気ヘッド１２の方向へループアンテナ２を傾けて設置した場合には、磁気ヘッド１２が妨害磁界１１の影響を大きく受け、カード３の磁気情報の読み取りが困難となる。一方、磁気読取装置１自身が持つ磁気ヘッド９は、妨害磁界１１の発生方向から外れるため、妨害磁界１１の影響を受けずに磁気情報を読み取ることが可能となる。
【００４９】
さらに、図１４に示すように、２つの図５（ｃ）のループアンテナ２ａ、２ｂを設置する構成としてもよい。図１４では、ループアンテナ２ｂは、ループアンテナ２ａの内側に配置されており、それぞれ異なる方向へ妨害磁界１１ａ及び１１ｂを発生させている。
【００５０】
なお、カード３には両面に磁気ストライプ１３を持つものがある。この場合、磁気読取装置１に２つの磁気ヘッド９ａ及び９ｂを設置して磁気データの読取を行うが、不正磁気読取装置も２つの磁気ヘッド１２ａ及び１２ｂを設置して磁気データを詐取する可能性がある。この場合でも、２つのループアンテナ２ａ及び２ｂをそれぞれカード搬送路１０に対して斜めに配置することにより、それぞれ磁気ヘッド１２ａ及び１２ｂによる不正な磁気情報の読み取りを効率よく妨害することが可能となる。
【００５１】
また、図１４に示すように、磁気読取装置１に２つの磁気ヘッド９ａ及び９ｂを設置した場合、図８に示すように２つのループアンテナ２ａ及び２ｂそれぞれから発生させる妨害磁界１１ａ、１１ｂの強度（図８（ａ））、周波数（図８（ｂ））または発生タイミング（図８（ｃ））を異なるものとしてもよい。
【００５２】
このように、ループアンテナ２ａ及び２ｂそれぞれから発生させる妨害磁界１１ａ、１１ｂの強度や周波数、発生タイミングを異なるものとすることにより、不正磁気読取装置が持つ磁気ヘッド１２ａ及び１２ｂに対して複数方向からの妨害磁界が重畳する。このため、不正磁気読取装置はフィルタリング等の妨害磁界１１を除去する手段をとることができず、不正磁気読取装置の磁気ヘッド１２ａ、１２ｂが単一の磁界中にあるときよりも、より磁気情報の窃取が困難となる。また、磁気読取装置１自身が持つ磁気ヘッド９ａ及び９ｂは、妨害磁界１１ａ及び１１ｂの発生方向から外れるため、妨害磁界の影響を受けずに磁気情報を読み取ることが可能である。
【００５３】
さらに、図１５に示すように、磁気読取装置１に２つの図５（ｃ）のループアンテナ２ａ及び２ｂを左右方向で斜めに配置してもよい。図７と同様にループアンテナ２ｂは、ループアンテナ２ａの内側に配置されており、それぞれ異なる方向へ妨害磁界１１ａ及び１１ｂを発生させている。
【００５４】
上記したように、２つのループアンテナ２ａ及び２ｂそれぞれから発生させる妨害磁界１１ａ、１１ｂの強度、周波数または発生タイミングを異なるものとしてもよい。この場合も、不正磁気読取装置が持つ磁気ヘッド１２に対して複数方向からの磁界が重畳するため、単一の磁界中にあるときよりもより磁気情報の窃取が困難となる。また、この場合も磁気読取装置１自身が持つ磁気ヘッド９ａ及び９ｂは、妨害磁界１１ａ及び１１ｂの発生方向から外れるため、妨害磁界の影響を受けずに磁気情報を読み取ることが可能である。
【００５５】
さらに、図１６に示すように、図５（ｃ）のループアンテナ２にＬ字型のコア１４を設置してもよい。コア１４の素材はフェライト等の透磁率が大きい素材である。コア１４を設置すると、ループアンテナ２から磁気読取装置１の内部方向に放射される妨害磁界１１が吸収され、妨害磁界１１が挿入口４前面側へ放射される。
【００５６】
したがって、コア１４を設けたことにより、ループアンテナ２から挿入口４の前面へ放射されている妨害磁界１１をより大きくし、磁気読取装置１の内部に及ぼす影響を抑えることができる。図１６では、コア１４を２つ設置しているが、どちらか片側のみ設置するようにしてもよい。コア１４を１つ設置した場合には、２つ設置した場合と比較して効果は低減するが、２つ設置した場合と同様の効果を得ることができる。
【００５７】
また、図１７に示すように、Ｌ字型のコア１４をカード搬送面に対して斜めに設置してもよい。このような配置にすることで、不正磁気読取装置が持つ磁気ヘッド１２へより効率よく妨害磁界１１を放射することが可能となる。特に、コア１４をループアンテナ２の発生させる妨害磁界１１の方向に沿うように配置することにより、不正磁気読取装置の磁気ヘッド１２側の磁界を強め、磁気読取装置１の内部に及ぼす影響を抑えることができる。
【００５８】
また、図１８に示すように、１つのループアンテナ２を、カード搬送面に対して上下左右方向に斜めに配置してもよい。このように、磁気ヘッド１２の方向へループアンテナ２を傾けて設置した場合には、磁気ヘッド１２が妨害磁界１１の影響を大きく受け、カード３の磁気情報の読み取りが困難となる。一方、磁気読取装置１自身が持つ磁気ヘッド９は、妨害磁界１１の発生方向から外れるため、妨害磁界１１の影響を受けずに磁気情報を読み取ることが可能となる。
【符号の説明】
【００５９】
１    磁気読取装置
２、２ａ、２ｂ    ループアンテナ
３    カード
４    カード挿入口
５、６、７、８  搬送ローラ
９、９ａ、９ｂ    磁気ヘッド
１０    カード搬送路
１１、１１ａ、１１ｂ    妨害磁界
１３  磁気ストライプ
１４  コア
３７  カード挿入口ユニット
【図１】
2015097913.tif 000003
【図２】
2015097913.tif 000004
【図３】
2015097913.tif 000005
【図４】
2015097913.tif 000006
【図５】
2015097913.tif 000007
【図６】
2015097913.tif 000008
【図７】
2015097913.tif 000009
【図８】
2015097913.tif 000010
【図９】
2015097913.tif 000011
【図１０】
2015097913.tif 000012
【図１１】
2015097913.tif 000013
【図１２】
2015097913.tif 000014
【図１３】
2015097913.tif 000015
【図１４】
2015097913.tif 000016
【図１５】
2015097913.tif 000017
【図１６】
2015097913.tif 000018
【図１７】
2015097913.tif 000019
【図１８】
2015097913.tif 000020
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
カードが挿入されるカード挿入口を囲むように取り付けられ、前記カードの外部からの磁気情報の読取を妨げるために妨害磁界を発生させる磁界発生用コイルを備え、
前記磁界発生用コイルは、その形状自体が、その開口面の法線方向が前記カードの搬送面に対して斜め方向に形成されていることを特徴とする磁気読取装置。
【請求項２】
（削除）
【請求項３】
（削除）
【請求項４】
前記斜め方向とは、カード搬送面に対して上下方向に斜めの方向である
ことを特徴とする請求項１に記載の磁気読取装置。
【請求項５】
前記斜め方向とは、カード搬送面に対して左右方向に斜めの方向である
ことを特徴とする請求項１に記載の磁気読取装置。
【請求項６】
前記斜め方向とは、カード搬送面に対して上下左右方向に斜めの方向である
ことを特徴とする請求項１に記載の磁気読取装置。
【請求項７】
前記磁界発生用コイルを複数備え、それぞれのコイルが別方向に前記妨害磁界を発生させる
ことを特徴とする請求項１、４〜６のいずれかに記載の磁気読取装置。
【請求項８】
前記磁界発生コイルが発生する前記妨害磁界のうち、前記カード挿入口から前記磁気読取装置の外部方向に放射される磁界を強め、前記カード挿入口から前記磁気読取装置の内部方向に放射される磁界を弱めるように、前記妨害磁界の磁界発生方向に指向性を生じさせるコア部材を備える
ことを特徴とする請求項１、４〜７のいずれかに記載の磁気読取装置。
【請求項９】
前記妨害磁界の磁界発生方向に指向性を生じさせる前記コア部材を、
前記カード搬送面に対して斜めに配置する
ことを特徴とする請求項８に記載の磁気読取装置。
【請求項１０】
カードが挿入されるカード挿入口を囲むように取り付けられ、前記カードの外部からの磁気情報の読取を妨げるために妨害磁界を発生させる磁界発生用コイルを備え、
前記磁界発生用コイルは、その形状自体が、の開口面の法線方向が前記カードの搬送面に対して斜め方向であり、
前記磁界発生用コイルを複数備え、それぞれのコイルが別方向に前記妨害磁界を発生させる
ことを特徴とする磁気読取装置。
【請求項１１】
前記磁界発生用コイルの開口面の法線方向がカード搬送面に対して斜め方向に配置される
ことを特徴とする請求項１０に記載の磁気読取装置。
【請求項１２】
前記磁界発生用コイルの開口面の法線方向がカード搬送面に対して斜め方向に形成されている
ことを特徴とする請求項１０または１１のいずれかに記載の磁気読取装置。
【請求項１３】
前記斜め方向とは、カード搬送面に対して上下方向に斜めの方向である
ことを特徴とする請求項１０〜１２のいずれかに記載の磁気読取装置。
【請求項１４】
前記斜め方向とは、カード搬送面に対して左右方向に斜めの方向である
ことを特徴とする請求項１０〜１２のいずれかに記載の磁気読取装置。
【請求項１５】
前記斜め方向とは、カード搬送面に対して上下左右方向に斜めの方向である
ことを特徴とする請求項１０〜１２に記載の磁気読取装置。
【請求項１６】
前記磁界発生コイルが発生する前記妨害磁界のうち、前記カード挿入口から前記磁気読取装置の外部方向に放射される磁界を強め、前記カード挿入口から前記磁気読取装置の内部方向に放射される磁界を弱めるように、前記妨害磁界の磁界発生方向に指向性を生じさせるコア部材を備える
ことを特徴とする請求項１０〜１５のいずれかに記載の磁気読取装置。
【請求項１７】
前記妨害磁界の磁界発生方向に指向性を生じさせる前記コア部材を、
前記カード搬送面に対して斜めに配置する
ことを特徴とする請求項１６に記載の磁気読取装置。
【国際調査報告】
2015097913.tif 000021
2015097913.tif 000022